(57)【特許請求の範囲】
【請求項１】
物体側から順に、
負の屈折力を有する第１レンズ群、
正の屈折力を有する第２レンズ群、
正の屈折力を有する第３レンズ群、
を有し、
広角端から望遠端への変倍に際して各レンズ群の間の間隔が変化するように前記第２レンズ群と前記第３レンズ群が移動し、
前記第１レンズ群は、物体側より順に、非球面を有する両凹負レンズ成分、正レンズ成分からなり、
前記負レンズ成分は以下の条件式（１）を満足する形状をもち、
前記負レンズ成分は以下の条件式（２）を満足する負レンズを有し、
前記正レンズ成分は以下の条件式（３）を満足する正レンズを有し、
前記第３レンズ群が以下の条件式（４）を満足することを特徴とするズームレンズ。
０．２＜（Ｒ1＋Ｒ2）／（Ｒ1−Ｒ2）＜０．９９  ・・・（１）
１．８１＜Ｎ1＜２．３５  ・・・（２）
１．９＜Ｎ2＜２．３５  ・・・（３）
４．５＜ｆ3／ｆw＜１２．０  ・・・（４）
但し、
Ｒ1は前記第１レンズ群の前記負レンズ成分の物体側面の近軸曲率半径、
Ｒ2は前記第１レンズ群の前記負レンズ成分の像側面の近軸曲率半径、
Ｎ1は前記第１レンズ群の前記負レンズ成分中の何れかの負レンズのｄ線に対する屈折率、
Ｎ2は前記第１レンズ群の前記正レンズ成分中の何れかの正レンズのｄ線に対する屈折率、
ｆ3は前記第３レンズ群の焦点距離、
ｆwは広角端における前記ズームレンズ全系の焦点距離、
であり、
レンズ成分は、光軸上にて空気と接する面が物体側面と像側面の２面のみのレンズ体を意味する。
【請求項２】
広角端から望遠端への変倍時に、前記第１レンズ群と前記第２レンズ群との間の間隔が狭くなり、前記第２レンズ群と前記第３レンズ群が互いの間の間隔を変化させながら移動し、フォーカシング時に前記第３レンズ群を光軸方向に移動することを特徴とする請求項１に記載のズームレンズ。
【請求項３】
前記第１レンズ群中の前記負レンズ成分と前記正レンズ成分はそれぞれガラスレンズを１つのみ有することを特徴とする請求項１または請求項２に記載のズームレンズ。
【請求項４】
前記第３レンズ群が以下の条件式（４’）を満足することを特徴とする請求項１から請求項３のいずれか１項に記載のズームレンズ。
５．５＜ｆ3／ｆw＜１２．０  ・・・（４’）
【請求項５】
前記第２レンズ群の像側直後に配置された明るさ絞りを有することを特徴とする請求項１から請求項４のいずれか１項に記載のズームレンズ。
【請求項６】
前記第１レンズ群の最も像側の面が像側に凹面を向けた形状であり、前記第２レンズ群の最も物体側の面が物体側に凸面を向けた形状であることを特徴とする請求項５に記載のズームレンズ。
【請求項７】
前記第３レンズ群よりも像側に配置され、非球面を有する単レンズからなる第４レンズ群を有することを特徴とする請求項１から請求項６のいずれか１項に記載のズームレンズ。
【請求項８】
前記第４レンズ群が以下の条件式を満足することを特徴とする請求項７に記載のズームレンズ。
−０．５＜（ｆ4／ｆw）−１＜０．５  ・・・（６）
但し、ｆ4は前記第４レンズ群の焦点距離である。
【請求項９】
前記第２レンズ群は、物体側より順に、第１の正レンズ、第２の正レンズ、負レンズ、第３の正レンズからなり、前記第１から第３の正レンズのいずれかの正レンズが非球面を有することを特徴とする請求項１から請求項８のいずれか１項に記載のズームレンズ。
【請求項１０】
前記第１レンズ群、前記第２レンズ群、前記第３レンズ群が以下の条件式（７）、（８）を満足することを特徴とする請求項１から請求項９のいずれか１項に記載のズームレンズ。
−０．６＜ｆ1／ｆ3＜−０．１６    ・・・（７）
０．１５＜ｆ2／ｆ3＜０．４２      ・・・（８）
但し、
ｆ1は前記第１レンズ群の焦点距離、
ｆ2は前記第２レンズ群の焦点距離、
である。
【請求項１１】
以下の条件式（５）を満足することを特徴とする請求項１から請求項１０のいずれか１項に記載のズームレンズ。
４．１＜ｆt／ｆw＜８  ・・・（５）
但し、ｆtは望遠端における前記ズームレンズ全系の焦点距離である。
【請求項１２】
ズームレンズと、前記ズームレンズの像側に配置され、且つ前記ズームレンズによる光学像を電気信号に変換する撮像素子を有し、前記ズームレンズが請求項１から請求項１１のいずれか１項に記載のズームレンズであることを特徴とする撮像装置。
【請求項１３】
前記ズームレンズによるディストーションを含んだ電気信号を、画像処理によりディストーションを補正した画像信号に変換する画像変換部を有することを特徴とする請求項１２に記載の撮像装置。
【請求項１４】
前記ズームレンズによる倍率色収差を含んだ電気信号を、画像処理により倍率色収差を補正した画像信号に変換する画像変換部を有することを特徴とする請求項１２又は請求項１３に記載の撮像装置。
【発明の詳細な説明】
【技術分野】
【０００１】
本発明は、ズームレンズに関するものである。さらには、ズームレンズと撮像素子を備えたデジタルカメラやビデオカメラ等の撮像装置に関するものである。
【背景技術】
【０００２】
近年、撮像装置の技術分野において、銀塩カメラに代わりデジタルカメラが主流となっている。デジタルカメラは一般的に撮影フイルム用カメラに比べて撮像面サイズが小さいため小型化を達成しやすいという特徴をもつ。最近では携帯性が従来に比べてより一層重視される傾向があるためにデジタルカメラ自体が小型化している。さらに、屋内・屋外問わず、手軽にデジタルカメラを用いて撮影を楽しみたいという顧客のニーズがあるために、光学系として用いるズームレンズの広画角化や高変倍比化が求められている。
【０００３】
このような小型・広画角・高変倍比のズームレンズの達成を目指して、従来から様々なズームレンズが提唱されている。例えば、特許文献１から３には、最も物体側に負屈折力のレンズ群を配置した負先行タイプのズームレンズが開示されている。
【０００４】
このような、負先行のズームレンズは、全体としてレトロフォーカスタイプの屈折力配置となっている。このため、正先行型のズームレンズに比べ広角端での画角の確保に有利であり、最も物体側のレンズ群のサイズの小型化によりズームレンズ全体の小型化にも有利となっている。
【０００５】
例示した特許文献１から３に開示されたズームレンズは、第１レンズ群の正レンズの屈折率を１．９以上と高くすることで、広角端の像面湾曲を補正しつつ、周辺部のレンズ厚みを小さく抑え、第１レンズ群全体を薄くし、ズームレンズの小型化を図っている。
【０００６】
【特許文献１】特開２００７−１７９０１５号公報
【特許文献２】特開２００７−２７２２１６号公報
【特許文献３】特開２００７−３３３７９９号公報
【発明の開示】
【発明が解決しようとする課題】
【０００７】
しかしながら、このような負先行のズームレンズの分野においても更なる高変倍比化が求められる。
本発明はこのような課題に鑑みてなされたもので、広角端の画角の確保や小型化に有利な負先行のズームレンズであって、変倍比の確保及び光学性能の維持に有利なズームレンズの提供を目的とする。更には、そのようなズームレンズを備えた撮像装置の提供を目的とする。
【課題を解決するための手段】
【０００８】
上記課題を解決するため、第１の側面の発明のズームレンズは、物体側から順に、負の屈折力を有する第１レンズ群、正の屈折力を有する第２レンズ群、正の屈折力を有する第３レンズ群、を有し、広角端から望遠端への変倍に際して各レンズ群の間の間隔が変化するように前記第２レンズ群と前記第３レンズ群が移動し、第１レンズ群は、物体側より順に、非球面を有する両凹負レンズ成分、正レンズ成分からなり、その負レンズ成分は以下の条件式（１）を満足する形状をもち、その負レンズ成分は以下の条件式（２）を満足する負レンズを有し、その正レンズ成分は以下の条件式（３）を満足する正レンズを有し、第３レンズ群が以下の条件式（４）を満足することを特徴とする。
０．２＜（Ｒ1＋Ｒ2）／（Ｒ1−Ｒ2）＜０．９９  ・・・（１）
１．８１＜Ｎ1＜２．１５  ・・・（２）
１．９＜Ｎ2＜２．３５  ・・・（３）
４．５＜ｆ3／ｆw＜１２．０  ・・・（４）
但し、
Ｒ1は第１レンズ群の負レンズ成分の物体側面の近軸曲率半径、
Ｒ2は第１レンズ群の負レンズ成分の像側面の近軸曲率半径、
Ｎ1は第１レンズ群の負レンズ成分中の何れかの負レンズのｄ−ｌｉｎｅの屈折率、
Ｎ2は第１レンズ群の正レンズ成分中の何れかの正レンズのｄ−ｌｉｎｅの屈折率、
ｆ3は第３レンズ群の焦点距離、ｆwは広角端におけるズームレンズ全系の焦点距離、
である。
なお、レンズ成分は、光軸上にて空気と接する面が物体側面と像側面の２面のみのレンズ体を意味する。
【０００９】
このような構成をとることで、広い画角を確保しやすいパワー配置のレンズ群配置となり、第２レンズ群に主たる変倍機能を持たせることができる。
また、第１レンズ群は、物体側より順に負レンズ成分、正レンズ成分を有するため、第１レンズ群の主点を物体側よりにでき、第１レンズ群の小径化が可能となる。また、広角端での軸外収差、望遠端での球面収差の補正にも有利となる。さらに、負レンズ成分の少なくとも１面を非球面とすることで、負レンズ成分の負屈折力を確保しつつ、広角端における軸外収差を良好に補正できる。そして、第１レンズ群全体の負屈折力を確保できるので、ズームレンズ全長の短縮化によるコンパクト化に有利となる。
【００１０】
そして、第１レンズ群が条件式（１）、条件式（２）、条件式（３）を満足することで、広角端の画角と変倍比を確保しても、全ズーム域で良好な性能を確保することが可能となる。
【００１１】
条件式（１）は第１レンズ群の負レンズ成分の形状に関する条件式である。
条件式（１）を満足することで、第１レンズ成分の物体側面と像側面で良好に負のパワーを分担することが可能となり、広角端での像面湾曲や望遠端での球面収差の低減に有利となる。条件式（１）の下限を下回らないようにすることで第１レンズ成分の物体側面の負屈折力を適度に抑えられ、広角端の軸外収差を低減しやすくなる。条件式（１）の上限を上回らないようにすることで、第１レンズ成分の物体側面の負屈折力を確保することで、望遠端での球面収差を低減しやすくなる。
【００１２】
条件式（２）は第１レンズ群の負レンズ成分中何れかの負レンズのｄ線に対する好ましい屈折率を特定するものである。
条件式（２）の下限を下回らないようにすることで、負レンズ成分の像側面の曲率を適度に抑えることができ、広角端の像面湾曲や望遠端での球面収差の発生を抑えやすくなる。また、負レンズ成分のコバ厚みを小さく出来るので、第１レンズ群の小型化にも有利となる。条件式（２）の上限を上回らないようにすることで、材料のコスト、レンズ面の加工のコストを抑えやすくなる。
【００１３】
条件式（３）は第１レンズ群の正レンズ成分中何れかの正レンズのｄ線に対する好ましい屈折率を特定するものである。
条件式（３）の下限を下回らないようにすることで、像側面を小さい曲率半径の凹面としなくても広角端の像面湾曲、望遠端での球面収差を良好に補正できる。また、正レンズ成分のコバ厚みの確保しつつ軸上厚みを小さく出来るので、第１レンズ群の小型化にも有利となる。上限を上回らないようにすることで、材料のコスト、レンズ面の加工のコストを抑えやすくなる。
【００１４】
条件式（４）は、第３レンズ群の好ましい焦点距離を特定するものである。
条件式（４）は、高変倍比化にともなって発生しやすくなる像面湾曲の変動を低減するための条件である。
【００１５】
本発明では条件式（１）、（２）、（３）を満足することで、第１レンズ群単独での収差の低減に有利となる。一方、第２レンズ群で発生する変倍時の像面湾曲の変動は、第３レンズ群と相殺させることで補正することが好ましい。
【００１６】
高変倍比化するには、第２レンズ群の屈折力を強くする必要がある。そのため、第３レンズ群による収差補正分担を適切に行うことが好ましい。本発明では、第３レンズ群の屈折力を弱く保ち、変倍分担による移動の規制を弱くして、変倍による像面湾曲変動を主に補正する役割を担わせることが好ましい。
【００１７】
条件式（４）の下限を下回らないようにして、第３レンズ群の屈折力を抑えることで、第３レンズ群が比較的物体側に寄る変倍域での収差変動を抑えやすくなる。上限を上回らないようにして、第３レンズ群の正屈折力を適度に確保することで、第２レンズ群の正屈折力の過剰を抑えやすくなる。
【００１８】
なお、ズームレンズがフォーカシング機構を備える場合、上記各構成要件は、最も遠距離の物体に合焦した状態での構成とする。
【００１９】
また、本発明において、以下の構成のいずれかひとつ、もしくは複数を同時に満足することがより好ましい。
【００２０】
本発明において、広角端から望遠端への変倍時に、第１レンズ群と第２レンズ群との間の間隔が狭くなり、第２レンズ群と第３レンズ群が互いの間の間隔を変化させながら移動し、フォーカシング時に第３レンズ群を光軸方向に移動することが好ましい。第２レンズ群が変倍機能を担い、第３レンズ群が収差の調整を行う機能を担う。第３レンズ群は屈折力が適度に抑えられているのでこのレンズ群をフォーカシングレンズ群とするとフォーカシングによる収差変動を低減しやすくなる。
【００２１】
また、第１レンズ群中の負レンズ成分と正レンズ成分はそれぞれガラスレンズを１つのみ有する構成とすることが好ましい。
各レンズ成分の小型化に有利となる。更には、小型化のためそれぞれのレンズ成分をガラス単レンズとすることがより好ましい。
【００２２】
また、本発明のズームレンズは、上記構成に関して、更に以下の条件式（４’）を満足することが望ましい。
５．５＜ｆ3／ｆw＜１５．０  ・・・（４’）
高変倍比化による収差変動の低減のために、条件式（４）の下限を５．５にすることが好ましい。
【００２３】
また、第２レンズ群の像側直後に明るさ絞りを配置することが好ましい。負先行のズームレンズタイプで高変倍比化するためには、第２レンズ群の変倍作用を大きくすることが効果的である。そのため第２レンズ群の後方に明るさ絞りを配置することが好ましい。
【００２４】
明るさ絞りが第２レンズ群の物体側に配置されている場合、望遠端にて第１レンズ群と第２レンズ群の軸上空気間隔を小さくし難くなるが、明るさ絞りを第２レンズ群の像側直後に配置することによって、第１レンズ群と第２レンズ群の間隔をメカの制約なく近づけることが出来る。そのため、変倍時の第２レンズ群の移動量の確保に有利となり、変倍比の確保と小型化の両立に有利となる。
【００２５】
更には、広角端から望遠端への変倍の際、明るさ絞りが、第２レンズ群と一体で移動する構成とすると、機械的な構成がいっそう簡易にできる。また、第２レンズ群中の有効径の変化が小さくなり、第２レンズ群の小型化や収差の低減に有利となる。
【００２６】
さらには、第１レンズ群の最も像側の面が像側に凹面を向けた形状であり、第２レンズ群の最も物体側の面が物体側に凸面をむけた形状であることが好ましい。広角端付近での収差補正に有利な形状としながら、望遠端にて第２レンズ群の主点を第１レンズ群に近づけやすくなり小型化と変倍比の確保の両立にいっそう有利となる。
【００２７】
また、ズームレンズが、第３レンズ群よりも像側に、非球面を有する単レンズからなる第４レンズ群を有することが望ましい。高変倍比化に伴う像面湾曲のいっそうの低減のために、上述の第４レンズ群を配置することで、第４レンズ群に像面湾曲の補正機能を持たせることができる。これにより、全ズーム域での収差バランスをいっそう良好に保つことができる。
【００２８】
更に、第４レンズ群が以下の条件式を満足することがより好ましい。
−０．５＜（ｆ4／ｆw）−１＜０．５  ・・・（６）
但し、ｆ4は第４レンズ群の焦点距離である。  
【００２９】
条件式（６）の範囲内として第４レンズ群の屈折力の絶対値を小さくすることで、第４レンズ群自体の薄型化と収差低減の両立に有利となり非球面によるズームレンズ全体の軸外収差の補正機能をいっそう得やすくなる。
【００３０】
また、第２レンズ群は、物体側より順に、第１の正レンズ、第２の正レンズ、負レンズ、第３の正レンズからなり、第１から第３の正レンズのいずれかの正レンズが非球面を有することが好ましい。
【００３１】
正の屈折力の第２レンズ群は、一般的には正レンズ、負レンズ、正レンズのトリプレットで構成することが収差補正上は望ましい。ここで、変倍比の確保と小型化の両立のためには物体側の正レンズの屈折力を強めて主点を物体側よりにすることが好ましい。そこで、トリプレットレンズの物体側の正レンズを２枚の正レンズに置き換える。物体より順に、第１の正レンズ、第２の正レンズ、負レンズ、第３の正レンズの構成にする。これにより、変倍比の確保と収差補正にいっそう有利となる。
【００３２】
そして、第２レンズ群に含まれる正レンズの少なくとも１面を非球面とすることが望ましい。高変倍比化のために第２レンズ群の屈折力が大きくなりやすいが、正レンズに非球面を用いることにより、第２レンズ群での球面収差の補正に有利となる。
【００３３】
また、第１レンズ群、第２レンズ群、第３レンズ群が以下の条件式（７）、（８）を満足することが好ましい。
−０．６＜ｆ1／ｆ3＜−０．１６    ・・・（７）
０．１５＜ｆ2／ｆ3＜０．４２      ・・・（８）
但し、
ｆ1は第１レンズ群の焦点距離、
ｆ2は第２レンズ群の焦点距離、
である。
【００３４】
画角の確保や変倍比の確保を行いつつ、小型化や性能確保をバランスよく行うため、第１、第２レンズ群の屈折力を適度に高め、相対的に第３レンズ群の屈折力を弱くして収差バランスを調整しやすくすることが好ましい。
【００３５】
条件式（７）の下限を下回らないようにして第１レンズ群の負屈折力を確保することで小型広画角化に有利となる。もしくは、第３レンズ群の屈折力を低減でき、像面湾曲の変動の補正に有利となる。条件式（７）の上限を上回らないようにして第１レンズ群の屈折力を抑えることで、第１レンズ群での収差低減にいっそう有利となる。
【００３６】
条件式（８）の下限を下回らないようにして第２レンズ群の屈折力を抑えることで、収差補正のためにレンズ枚数の増大を抑えられる。条件式（８）の上限を上回らないようにして第３レンズ群の屈折力を抑えることで、軸外収差の変動を抑えやすくなる。
【００３７】
また、以下の条件式（５）を満足することが好ましい。
３．８５＜ｆt／ｆw＜８  ・・・（５）
但し、ｆtは望遠端におけるズームレンズ全系の焦点距離である。
【００３８】
条件式（５）の下限を下回らないようにして画角変更による自由度を確保することで種々の撮影シーンに対応でき好ましい。上限を上回らないようにすることで、第１レンズ群と第２レンズ群で発生する収差を抑えやすくなり、小型化とズーム全域での性能確保に有利となる。
【００３９】
第２の側面の本発明のズームレンズは参考例であって、物体側から順に、負の屈折力を有する第１レンズ群、正の屈折力を有する第２レンズ群、明るさ絞り、正の屈折力を有する第３レンズ群、第４レンズ群からなり、広角端から望遠端への変倍に際して各レンズ群の間の間隔が変化するように第２レンズ群と第３レンズ群が移動し、第１レンズ群は、物体側より順に、非球面を有する負レンズ成分、正レンズ成分からなり、第２レンズ群は、物体側より順に、第１の正レンズ、第２の正レンズ、負レンズ、第３の正レンズからなり、第１から第３の正レンズのいずれかの正レンズが非球面を有し、第３レンズ群は１つの正レンズ成分からなり、第４レンズ群は非球面をもつ１つのレンズ成分からなり、以下の条件式（５’）を満足するものである。
４．１＜ｆt／ｆw＜８  ・・・（５’）
但し、
ｆwは広角端におけるズームレンズ全系の焦点距離、
ｆtは望遠端におけるズームレンズ全系の焦点距離、
である。
【００４０】
このような４群構成とすることで、広い画角を確保しやすいレンズ群配置となり、変倍比を確保した際の軸外収差の変動を変倍時移動する第３レンズ群と非球面をもつ第４レンズ群で補正でき、高変倍比化しやすくなる。
【００４１】
また、第１レンズ群は、物体側より順に負レンズ成分、正レンズ成分を有するため、第１レンズ群の主点を物体側寄りにでき、第１レンズ群の小径化が可能となる。また、広角端での軸外収差、望遠端での球面収差の補正にも有利となる。さらに、負レンズ成分の少なくとも１面を非球面とすることで、負レンズ成分の負屈折力を確保しつつ、広角端における軸外収差を良好に補正できる。
【００４２】
明るさ絞りの配置場所は光束の通過位置を決める役割をするが、ズームレンズの中心付近に配置すると各レンズ群のサイズや収差バランスを取りやすくなる。そして、明るさ絞りの位置が第１レンズ群と第２レンズ群の間に位置する場合と比べ、望遠端にて第１レンズ群と第２レンズ群との距離を近づけられ、高変倍比化に有利となる。また、明るさ絞りが１つのレンズ群内の複数のレンズの間に位置する場合と比べ、組み立て工程が容易となる。
【００４３】
第２レンズ群を物体側から正レンズ、正レンズ、負レンズ、正レンズで構成し、第２レンズ群の正レンズの少なくとも１面に非球面を有することの機能は、変倍比負担を第２レンズ群に持たせても収差バランスを良好とするための構成である。なお、この機能は上述したとおりである。
【００４４】
第２レンズ群をレンズ４枚で構成することで、第２レンズ群による変倍機能を確保しやすくなる。そのため、正の屈折力の第３レンズ群は補正機能を確保するための屈折力を確保する１つのレンズ成分で構成できる。これにより、小型化を行うことが好ましい。更には、第３レンズ群をフォーカシングレンズ群とする場合、フォーカス時の移動負担を軽減できる。
【００４５】
また、第４レンズ群を非球面をもつ１つのレンズ成分とする。これにより、第４レンズ群に像面湾曲の補正を負担させることができ、ズーム全域での収差バランスを良好に保つことに有利となる。
【００４６】
本構成は変倍比を確保しても収差補正を行いやすい。条件式（５）は、具体的に好ましい変倍比を特定するものである。条件式（５）の下限を下回らないようにして画角変更による自由度を確保することで種々の撮影シーンに対応でき好ましい。上限を上回らないようにすることで、第１レンズ群と第２レンズ群で発生する収差を抑えやすくなり、小型化とズーム全域での性能確保に有利となる。
【００４７】
第１の側面における発明と第２の側面における発明の双方を同時に満足するズームレンズとしてもよい。また、第１の側面における発明にて説明した、より好ましい各構成要素、各条件の何れか１つ又は複数を、第２の側面における発明のズームレンズに採用して同時に満足するズームレンズとしてもよい。
【００４８】
第１レンズ群は、２枚の単レンズで構成してもよい。また、第３レンズ群は、１枚の単レンズで構成してもよい。さらに、第４レンズ群は、１枚の単レンズで構成してもよい。各々低コスト化に有利となる。
【００４９】
ズームレンズがフォーカシング機能を有す場合は、上記各構成は、最も遠距離の物体に合焦した状態とする。
【００５０】
条件式（１）については、下限値を０．３、更には０．５とすることがより好ましい。上限値を０．９５、更には０．９とすることがより好ましい。
【００５１】
条件式（２）については、下限値を１．８３、更には１．８５とすることがより好ましい。上限値を２．０、更には１．９とすることがより好ましい。
【００５２】
条件式（３）については、下限値を１．９１、更には１．９２とすることがより好ましい。上限値を２．２、更には２．１とすることがより好ましい。
【００５３】
条件式（４）については、下限値を５．５、更には６．０とすることがより好ましい。上限値を１１．７、更には１１．４とすることがより好ましい。
【００５４】
条件式（５）については、下限値を４．１、更には４．５とすることがより好ましい。上限値を７、更には６とすることがより好ましい。
【００５５】
条件式（６）については、下限値を−０．３、更には−０．１５とすることがより好ましい。上限値を０．３、更には０．１５とすることがより好ましい。
【００５６】
条件式（７）については、下限値を−０．５、更には−０．４とすることがより好ましい。上限値を−０．１８、更には−０．２とすることがより好ましい。
【００５７】
条件式（８）については、下限値を０．１７、更には０．１８とすることがより好ましい。上限値を０．３８、更には０．３５とすることがより好ましい。
【００５８】
また、本発明の撮像装置は、ズームレンズと、そのズームレンズの像側に配置され、且つズームレンズによる光学像を電気信号に変換する撮像素子を有し、そのズームレンズが前述のズームレンズの何れかに記載のズームレンズとするものである。これにより、広画角化、高変倍比化、小型化のバランスが良好な撮像装置を提供できる。
【００５９】
更には、ズームレンズによるディストーションを含んだ電気信号を、画像処理によりディストーションを補正した画像信号に変換する画像変換部を有することが好ましい。ズームレンズのディストーションを電気的に補正したうえで画像の記録や表示を行える。したがって、ズームレンズのディストーションの収差発生を許容することで、像面湾曲やコマ収差の補正に有利となり、結果的に小型のズームレンズで良好な画質を得やすくなる。
【００６０】
また、ズームレンズによる倍率色収差を含んだ電気信号を、画像処理により倍率色収差を補正した画像信号に変換する画像変換部を有することが好ましい。ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。ズームレンズの倍率色収差を許容することで、レンズの材料選択の自由度が確保でき、低コスト化、薄型化、高性能化に有利となる。
【００６１】
また、本発明のズームレンズは、上記全ての構成に関して、前記ズームレンズを構成するレンズの内、少なくとも一面は反射防止コートを施すことが望ましい。
【発明の効果】
【００６２】
本発明にかかるズームレンズは、広角端の画角の確保や小型化に有利な負先行のズームレンズであって、変倍比の確保及び光学性能の維持に有利なズームレンズを提供できる。更には、そのようなズームレンズを備えた撮像装置を提供できる。
【発明を実施するための最良の形態】
【００６３】
以下に、本発明にかかるズームレンズ及び撮像装置の実施例を図面に基づいて詳細に説明する。なお、この実施例によりこの発明が限定されるものではない。
【実施例】
【００６４】
以下、本発明のズームレンズの実施例１〜６について説明する。実施例１〜６の無限遠物点合焦時の広角端（ａ）、中間焦点距離状態（ｂ）、望遠端（ｃ）のレンズ断面図をそれぞれ図１〜図６に示す。図１〜図６中、第１レンズ群はＧ１、第２レンズ群はＧ２、明るさ（開口）絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００６５】
また、各実施例において、明るさ絞りＳは第２レンズ群Ｇ２と一体で移動する。数値データはいずれも無限遠の被写体に合焦した状態でのデータである。各数値の長さの単位はｍｍ、角度の単位は°（度）である。フォーカシングはいずれの実施例も第３レンズ群Ｇ３の移動により行う。さらに、ズームデータは広角端（ＷＥ）、本発明で定義する中間ズーム状態（ＳＴ）、望遠端（ＴＥ）での値である。
【００６６】
実施例１のズームレンズは、図１に示すように、物体側から順に、負の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、を配置している。
【００６７】
広角端から望遠端への変倍に際して、第１レンズ群Ｇ１は像側へ移動した後に、物体側へ移動する。第２レンズ群Ｇ２は物体側へ移動する。第３レンズ群Ｇ３は物体側へ移動した後に像側へ移動する。第４レンズ群Ｇ４は固定している。
【００６８】
物体側から順に、第１レンズ群Ｇ１は、両凹負レンズと、像側に凹面を向けた正メニスカスレンズと、からなる。第２レンズ群Ｇ２は、両凸正レンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、像側に凸面を向けた正メニスカスレンズからなる。
【００６９】
非球面は、第１レンズ群Ｇ１の両凹負レンズの両面と、第２レンズ群Ｇ２の物体側の両凸正レンズの両面と、第２レンズ群Ｇ２の像側の両凸正レンズの像側の面と、第３レンズ群Ｇ３の正メニスカスレンズの像側の面と、第４レンズ群Ｇ４の正メニスカスレンズの両面と、に用いている。
【００７０】
実施例２のズームレンズは、図２に示すように、物体側から順に、負の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、を配置している。
【００７１】
広角端から望遠端への変倍に際して、第１レンズ群Ｇ１は像側へ移動した後に、物体側へ移動する。第２レンズ群Ｇ２は物体側へ移動する。第３レンズ群Ｇ３は物体側へ移動した後に像側へ移動する。第４レンズ群Ｇ４は固定している。
【００７２】
物体側から順に、第１レンズ群Ｇ１は、両凹負レンズと、像側に凹面を向けた正メニスカスレンズと、からなる。第２レンズ群Ｇ２は、両凸正レンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、像側に凸面を向けた正メニスカスレンズからなる。
【００７３】
非球面は、第１レンズ群Ｇ１の両凹負レンズの両面と、第２レンズ群Ｇ２の物体側の両凸正レンズの両面と、第２レンズ群Ｇ２の像側の両凸正レンズの像側の面と、第３レンズ群Ｇ３の正メニスカスレンズの像側の面と、第４レンズ群Ｇ４の正メニスカスレンズの両面との８面に用いている。
【００７４】
実施例３のズームレンズは、図３に示すように、物体側から順に、負の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、を配置している。
【００７５】
広角端から望遠端への変倍に際して、第１レンズ群Ｇ１は像側へ移動した後に、物体側へ移動する。第２レンズ群Ｇ２は物体側へ移動する。第３レンズ群Ｇ３は物体側へ移動した後に像側へ移動する。第４レンズ群Ｇ４は固定している。
【００７６】
物体側から順に、第１レンズ群Ｇ１は、両凹負レンズと、像側に凹面を向けた正メニスカスレンズとからなる。第２レンズ群Ｇ２は、両凸正レンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、像側に凸面を向けた正メニスカスレンズからなる。
【００７７】
非球面は、第１レンズ群Ｇ１の両凹負レンズの両面と、第１レンズ群Ｇ１の正メニスカスレンズの両面と、第２レンズ群Ｇ２の物体側の両凸正レンズの両面と、第２レンズ群Ｇ２の像側の両凸正レンズの像側の面と、第３レンズ群Ｇ３の正メニスカスレンズの像側の面と、第４レンズ群Ｇ４の正メニスカスレンズの両面との１０面に用いている。
【００７８】
実施例４のズームレンズは、図４に示すように、物体側から順に、負の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、を配置している。
【００７９】
広角端から望遠端への変倍に際して、第１レンズ群Ｇ１は像側へ移動した後に、物体側へ移動する。第２レンズ群Ｇ２は物体側へ移動する。第３レンズ群Ｇ３は物体側へ移動した後に像側へ移動する。第４レンズ群Ｇ４は固定している。
【００８０】
物体側から順に、第１レンズ群Ｇ１は、両凹負レンズと、像側に凹面を向けた正メニスカスレンズと、からなる。第２レンズ群Ｇ２は、両凸正レンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、像側に凸面を向けた正メニスカスレンズからなる。
【００８１】
非球面は、第１レンズ群Ｇ１の両凹負レンズの両面と第１レンズ群Ｇ１の正メニスカスレンズの両面と、第２レンズ群Ｇ２の物体側の両凸正レンズの両面と、第２レンズ群Ｇ２の像側の両凸正レンズの像側の面と、第３レンズ群Ｇ３の正メニスカスレンズの像側の面と、第４レンズ群Ｇ４の正メニスカスレンズの両面との１０面に用いている。
【００８２】
実施例５のズームレンズは、図５に示すように、物体側から順に、負の屈折力の第１レンズ群Ｇ１と、正の屈折力の第２レンズ群Ｇ２と、開口絞りＳと、正の屈折力の第３レンズ群Ｇ３と、負の屈折力の第４レンズ群Ｇ４と、を配置している。
【００８３】
広角端から望遠端への変倍に際して、第１レンズ群Ｇ１は像側へ移動した後に、物体側へ移動する。第２レンズ群Ｇ２は物体側へ移動する。第３レンズ群Ｇ３は物体側へ移動した後に像側へ移動する。第４レンズ群Ｇ４は固定している。
【００８４】
物体側から順に、第１レンズ群Ｇ１は、両凹負レンズと、像側に凹面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。第４レンズ群Ｇ４は、像側に凸面を向けた負メニスカスレンズからなる。
【００８５】
非球面は、第１レンズ群Ｇ１の両凹負レンズの両面と第１レンズ群Ｇ１の正メニスカスレンズの両面と、第２レンズ群Ｇ２の物体側の正メニスカスレンズの両面と、第２レンズ群Ｇ２の両凸正レンズの像側の面と、第３レンズ群Ｇ３の正メニスカスレンズの像側の面と、第４レンズ群Ｇ４の負メニスカスレンズの両面との１０面に用いている。
【００８６】
実施例６のズームレンズは、図６に示すように、物体側から順に、負の屈折力の第１レンズ群Ｇ１と、正の屈折力の第２レンズ群Ｇ２と、正の屈折力の第３レンズ群Ｇ３と、を配置している。
【００８７】
広角端から望遠端への変倍に際して、第１レンズ群Ｇ１は像側へ移動した後に、物体側へ移動する。第２レンズ群Ｇ２は物体側へ移動する。第３レンズ群Ｇ３は物体側へ移動した後に像側へ移動する。
【００８８】
物体側から順に、第１レンズ群Ｇ１は、両凹負レンズと、像側に凹面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズとの接合レンズと、両凸正レンズと、からなる。第３レンズ群Ｇ３は、像側に凸面を向けた正メニスカスレンズからなる。
【００８９】
非球面は、第１レンズ群Ｇ１の両凹負レンズの両面と、第１レンズ群Ｇ１の正メニスカスレンズの両面と、第２レンズ群Ｇ２の物体側の正メニスカスレンズの両面と、第２レンズ群Ｇ２の両凸正レンズの像側の面と、第３レンズ群Ｇ３の正メニスカスレンズの像側の面との８面に用いている。
【００９０】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦNOはＦナンバー、ωは半画角、ＷＥは広角端、ＳＴは中間焦点距離状態、ＴＥは望遠端、ｒ１、ｒ２…は各レンズ面の曲率半径、ｄ１、ｄ２…は各レンズ面間の間隔、ｎｄ１、ｎｄ２…は各レンズのｄ線の屈折率、νｄ１、νｄ２…は各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【００９１】
また、各非球面形状は、各実施例における各非球面係数を用いて、以下の式で表される。
但し、光軸方向の座標をＺ、光軸と垂直な方向の座標をＹとする。
Ｚ＝（Ｙ２／ｒ）／［１＋｛１−（１＋Ｋ）・（Ｙ／ｒ）２｝１／２］
＋Ａ４×Ｙ４＋Ａ６×Ｙ６＋Ａ８×Ｙ８＋Ａ１０×Ｙ１０＋Ａ１２×Ｙ１２
ただし、ｒは近軸曲率半径、Ｋは円錐係数、Ａ４、Ａ６、Ａ８、Ａ１０、Ａ１２はそれぞれ４次、６次、８次、１０次、１２次の非球面係数である。また、非球面係数において、「ｅ−ｎ」（ｎは整数）は、「１０−ｎ」を示している。
【００９２】
数値実施例１
単位  mm
面データ
面番号       r           d              nd          νd    
物面        ∞           ∞   
1*       -36.121        0.85          1.85135       40.10
2*         6.613        2.40
3         12.132        1.76          1.92286       18.90
4         32.163        可変  
5*         6.094        1.63          1.58313       59.38
6*      -193.979        0.10
7          7.205        1.70          1.88300       40.76
8         35.008        0.68          1.84666       23.78
9          4.067        0.80
10        42.637        0.80          1.52540       56.25
11*      -15.492        0.30
12(絞り)    ∞          可変
13       -18.564        1.27          1.52540       56.25
14*      -10.395        可変
15*      -16.887        0.85          1.52540       56.25
16*      -11.717        0.30
17          ∞          0.50          1.51633       64.14
18          ∞          0.50
19          ∞          0.50          1.51633       64.14
20          ∞          0.37
像面        ∞     
非球面データ
第１面
K=0.000
A4=5.23384e-04,A6=-8.99800e-06,A8=5.58642e-08  
第２面
K=0.000
A4=1.53184e-04,A6=2.36186e-06,A8=-4.85067e-07  
第５面
K=0.000
A4=-6.87558e-04,A6=3.61041e-05,A8=-2.43068e-06  
第６面
K=0.000
A4=-2.16456e-04,A6=5.64134e-05,A8=-3.68492e-06  
第１１面
K=0.000
A4=3.42256e-04,A6=-6.70299e-05,A8=1.21276e-05  
第１４面
K=0.000
A4=1.34406e-04,A6=1.61801e-06,A8=-2.13189e-07  
第１５面
K=0.000
A4=-3.47016e-03,A6=1.29634e-04  
第１６面
K=0.000
A4=-3.11938e-03,A6=1.39866e-04  
ズームデータ
広角          中間          望遠
焦点距離       4.48          9.90         21.39
Ｆｎｏ.        2.86          4.45          6.12
画角２ω      89.98         41.95         19.71
BF             1.83          1.83          1.83
全長          38.16         31.33         37.38
d4            17.49          5.26          0.20 
d12            2.78          7.54         20.25 
d14            2.92          3.57          1.96 
各群焦点距離
f1=-11.16     f2=9.90     f3=42.68     f4=68.94   
【００９３】
数値実施例２
単位  mm
面データ
面番号       r           d              nd          νd    
物面        ∞           ∞   
1*       -39.192        0.85          1.85135       40.10
2*         6.869        2.41
3         11.734        1.58          1.94595       17.98
4         25.053        可変  
5*         6.133        1.52          1.58313       59.38
6*      -329.489        0.10
7          7.223        1.69          1.88300       40.76
8         25.780        0.60          1.84666       23.78
9          4.136        0.70
10        45.318        0.81          1.58313       59.38
11*      -15.535        0.30
12(絞り)    ∞          可変  
13       -17.977        1.32          1.52540       56.25
14*      -10.904        可変  
15*      -16.661        0.85          1.52540       56.25
16*      -11.659        0.30
17          ∞          0.50          1.51633       64.14
18          ∞          0.50
19          ∞          0.50          1.51633       64.14
20          ∞          0.37
像面        ∞     
非球面データ
第１面
K=0.000
A4=5.35330e-04,A6=-8.67116e-06,A8=4.51209e-08  
第２面
K=0.000
A4=2.38314e-04,A6=5.35853e-06,A8=-4.99255e-07  
第５面
K=0.000
A4=-7.70741e-04,A6=2.83015e-05,A8=-4.35533e-06  
第６面
K=0.000
A4=-3.14549e-04,A6=3.60394e-05,A8=-4.98647e-06  
第１１面
K=0.000
A4=2.43798e-04,A6=-4.53369e-05,A8=8.62818e-06  
第１４面
K=0.000
A4=2.38072e-04,A6=-1.20387e-05,A8=4.38193e-08  
第１５面
K=0.000
A4=-1.63985e-03,A6=2.23619e-05  
第１６面
K=0.000
A4=-1.06692e-03,A6=3.12519e-05  
ズームデータ
広角          中間          望遠
焦点距離       4.62         10.06         21.95
Ｆｎｏ.        2.86          4.37          6.12
画角２ω      88.13         41.33         19.21
BF             1.83          1.83          1.83
全長          37.70         31.20         37.35
d4            17.07          5.27          0.20 
d12            2.86          7.42         20.66 
d14            3.22          3.96          1.94 
各群焦点距離
f1=-11.17     f2=9.85     f3=49.57     f4=69.82   
【００９４】
数値実施例３
単位  mm
面データ
面番号       r           d              nd          νd    
物面        ∞            ∞   
1*       -55.310        0.85          1.85135       40.10
2*         6.568        2.22
3*         9.905        1.80          2.00178       19.30
4*        17.477        可変
5*         5.848        1.70          1.58313       59.38
6*      -595.150        0.10
7          7.072        1.55          1.88300       40.76
8         15.131        0.60          1.84666       23.78
9          4.052        0.70
10        17.929        0.75          1.58313       59.38
11*      -34.293        0.30
12(絞り)    ∞          可変  
13        -8.791        1.30          1.52540       56.25
14*       -6.930        可変  
15*      -12.362        0.85          1.52540       56.25
16*      -12.086        0.30
17          ∞          0.50          1.51633       64.14
18          ∞          0.50
19          ∞          0.50          1.51633       64.14
20          ∞          0.37
像面        ∞     
非球面データ
第１面
K=0.000
A4=6.29147e-04,A6=-1.09060e-05,A8=5.99850e-08  
第２面
K=0.000
A4=-3.60728e-04,A6=4.71665e-05,A8=-1.23411e-06  
第３面
K=0.000
A4=-1.10232e-03,A6=3.73924e-05,A8=-4.29166e-07  
第４面
K=0.000
A4=-8.55694e-04,A6=2.65450e-05,A8=-3.14820e-07  
第５面
K=0.000
A4=-5.10380e-04,A6=7.65810e-06,A8=-2.83620e-07  
第６面
K=0.000
A4=-3.00819e-05,A6=1.81730e-05,A8=-3.80335e-07  
第１１面
K=0.000
A4=4.60385e-04,A6=-3.37836e-05,A8=6.28934e-06  
第１４面
K=0.000
A4=2.07326e-04,A6=4.98692e-06,A8=2.33245e-07  
第１５面
K=0.000
A4=-3.49411e-03,A6=9.13012e-05  
第１６面
K=0.000
A4=-2.45682e-03,A6=5.95790e-05  
ズームデータ
広角          中間          望遠
焦点距離       4.51          9.90         25.07
Ｆｎｏ．       2.87          4.28          6.16
画角２ω      90.09         41.75         16.81
BF             1.83          1.83          1.83  
全長          39.69         31.18         38.14 
d4            19.34          6.02          0.20 
d12            2.93          5.39         21.93 
d14            2.87          5.22          1.46 
各群焦点距離
f1=-11.34     f2=9.66     f3=50.22     f4=500.26   
【００９５】
数値実施例４
単位  mm
面データ
面番号       r           d              nd          νd    
物面        ∞            ∞   
1*       -58.197        0.85          1.85135       40.10
2*         6.557        2.19
3*         9.191        1.76          2.00178       19.30
4*        15.054        可変   
5*         5.701        1.83          1.58313       59.38
6*     -5147.531        0.10
7          7.163        1.49          1.88300       40.76
8         15.469        0.60          1.84666       23.78
9          4.145        0.70
10        17.199        0.66          1.58313       59.38
11*      -42.828        0.30
12(絞り)    ∞          可変  
13        -8.752        1.38          1.52540       56.25
14*       -6.937        可変  
15*      -12.070        0.85          1.52540       56.25
16*      -12.311        0.30
17          ∞          0.50          1.51633       64.14
18          ∞          0.50
19          ∞          0.50          1.51633       64.14
20          ∞          0.37
像面        ∞     
非球面データ
第１面
K=0.000
A4=6.75398e-04,A6=-1.18456e-05,A8=6.58162e-08  
第２面
K=0.000
A4=-4.06863e-04,A6=5.13645e-05,A8=-1.29930e-06  
第３面
K=0.000
A4=-1.30204e-03,A6=3.92755e-05,A8=-4.08741e-07  
第４面
K=0.000
A4=-1.01988e-03,A6=2.83769e-05,A8=-2.90079e-07  
第５面
K=0.000
A4=-4.59761e-04,A6=3.75214e-06,A8=4.21709e-07  
第６面
K=0.000
A4=2.45003e-05,A6=1.89720e-05,A8=1.50558e-07  
第１１面
K=0.000
A4=7.04505e-04,A6=-4.01432e-05,A8=1.07392e-05  
第１４面
K=0.000
A4=1.91230e-04,A6=3.08490e-06,A8=4.59629e-07  
第１５面
K=0.000
A4=-3.40694e-03,A6=1.10543e-04  
第１６面
K=0.000
A4=-2.05594e-03,A6=5.90357e-05  
ズームデータ
広角          中間          望遠
焦点距離       4.45          9.90         25.70 
Ｆｎｏ.        2.86          4.29          6.12
画角２ω      90.93         41.60         16.38 
BF             1.83          1.83          1.83   
全長          39.72         31.04         38.35 
d4            19.55          6.06          0.20 
d12            3.02          5.34         22.13   
d14            2.62          5.11          1.48   
各群焦点距離
f1=-11.22     f2=9.53     f3=50.49     f4=5471.43   
【００９６】
数値実施例５
単位  mm
面データ
面番号       r           d              nd          νd    
物面        ∞            ∞   
1*       -75.513        0.85          1.85135       40.10
2*         6.575        1.87
3*         8.310        1.83          2.00178       19.30
4*        13.070        可変  
5*         5.923        1.72          1.58313       59.38
6*        77.755        0.10
7          7.546        1.41          1.88300       40.76
8         17.737        0.60          1.84666       23.78
9          4.669        0.70
10        11.982        0.60          1.58313       59.38
11*     -263.242        0.30
12(絞り)    ∞          可変  
13        -8.490        1.69          1.58313       59.38
14*       -6.138        可変  
15*       -8.555        0.85          1.52540       56.25
16*      -15.738        0.30
17          ∞          0.50          1.51633       64.14
18          ∞          0.50
19          ∞          0.50          1.51633       64.14
20          ∞          0.37
像面        ∞     
非球面データ
第１面
K=0.000
A4=6.33994e-04,A6=-1.09314e-05,A8=5.62486e-08  
第２面
K=0.000
A4=-6.33514e-04,A6=6.19211e-05,A8=-1.45182e-06  
第３面
K=0.000
A4=-1.56534e-03,A6=4.77192e-05,A8=-5.32958e-07  
第４面
K=0.000
A4=-1.18060e-03,A6=3.31937e-05,A8=-3.42019e-07  
第５面
K=0.000
A4=-3.80197e-04,A6=2.27438e-06,A8=-4.02765e-07  
第６面
K=0.000
A4=-1.05596e-04,A6=5.81845e-06,A8=-5.19839e-07  
第１１面
K=0.000
A4=9.91845e-04,A6=3.99228e-06,A8=7.49200e-06  
第１４面
K=0.000
A4=3.97998e-04,A6=8.60846e-06,A8=4.07634e-07  
第１５面
K=0.000
A4=-6.69660e-03,A6=2.45830e-04  
第１６面
K=0.000
A4=-6.14930e-03,A6=1.93177e-04  
ズームデータ
広角          中間          望遠
焦点距離       4.79          9.85         26.72 
Ｆｎｏ.        2.86          4.08          6.12
画角２ω      85.78         42.15         15.75 
BF             1.83          1.83          1.83   
全長          39.81         31.71         38.65 
d4            19.36          6.97          0.20 
d12            3.29          6.80         21.94  
d14            2.82          3.61          2.18  
各群焦点距離
f1=-11.78     f2=9.71     f3=30.06     f4=-37.19   
【００９７】
数値実施例６
単位  mm
面データ
面番号       r           d              nd          νd    
物面        ∞            ∞   
1*       -94.381        0.85          1.85135       40.10
2*         6.612        2.31
3*         8.592        1.73          2.00178       19.30
4*        13.008        可変      
5*         5.763        1.77          1.58313       59.38
6*       142.941        0.10
7          6.939        1.73          1.88300       40.76
8         16.536        0.60          1.84666       23.78
9          4.057        0.70
10        13.551        0.60          1.58313       59.38
11*     -437.950        0.30
12(絞り)    ∞          可変  
13        -9.634        1.36          1.52540       56.25
14*       -7.140        可変  
15          ∞          0.50          1.51633       64.14
16          ∞          0.50
17          ∞          0.50          1.51633       64.14
18          ∞          0.37
像面        ∞     
非球面データ
第１面
K=0.000
A4=7.26361e-04,A6=-1.29478e-05,A8=6.89655e-08  
第２面
K=0.000
A4=-3.58096e-04,A6=4.77895e-05,A8=-1.22371e-06  
第３面
K=0.000
A4=-1.40387e-03,A6=3.14286e-05,A8=-3.00061e-07  
第４面
K=0.000
A4=-1.12627e-03,A6=2.31533e-05,A8=-2.10399e-07  
第５面
K=0.000
A4=-4.56577e-04,A6=7.52433e-06,A8=-4.36188e-07  
第６面
K=0.000
A4=-6.09644e-05,A6=1.56792e-05,A8=-5.60172e-07  
第１１面
K=0.000
A4=9.34937e-04,A6=6.99884e-06,A8=1.07582e-05  
第１４面
K=0.000
A4=5.64174e-04,A6=-1.18595e-05,A8=6.85347e-07  
ズームデータ
広角          中間          望遠
焦点距離       4.57          9.83         25.46 
Ｆｎｏ．       2.86          4.33          6.12  
画角２ω      90.63         42.27         16.73  
BF             5.28          5.57          4.62 
全長          38.89         31.11         38.13 
d4            19.07          6.65          0.20   
d12            2.49          6.84         21.26 
d14            3.75          4.04          3.09  
各群焦点距離
f1=-11.79      f2=9.63     f3=44.19   
【００９８】
以上の実施例１〜６の無限遠物点合焦時の収差図をそれぞれ図７〜図１２に示す。これらの収差図において、（ａ）は広角端、（ｂ）は中間焦点距離状態、（ｃ）は望遠端における、球面収差（ＳＡ）、非点収差（ＡＳ）、歪曲収差（ＤＴ）、倍率色収差（ＣＣ）を示す。各図中、“ω”は半画角を示す。
【００９９】
次に、各実施例における条件式（１）〜（８）の値を掲げる。中間及び望遠端での像高は３．８３ｍｍである。なお、ディストーションの補正に関しては、中間焦点距離状態、望遠端状態では上述の値に対して変更がない。このため、重複する値については記載を省略する。
実施例１   実施例２   実施例３   実施例４   実施例５   実施例６
ディストーション
電気補正時像高
（広角端）      3.49       3.49       3.49       3.49       3.51       3.48 
ディストーション
補正後全画角
（広角端）     82.85      81.05      82.40      83.12      79.01      81.64
＜条件式＞
実施例１   実施例２   実施例３   実施例４   実施例５   実施例６
(1)(Ｒ1＋Ｒ2)/(Ｒ1−Ｒ2)  
0.69       0.7        0.79       0.8        0.84       0.87
(2)Ｎ1         1.85135    1.85135    1.85135    1.85135    1.85135    1.85135
(3)Ｎ2         1.92286    1.94595    2.00178    2.00178    2.00178    2.00178
(4)ｆ3/ｆw     9.54      10.73      11.14      11.34       6.28       9.67
(5)ｆt/ｆw     4.78       4.75       5.56       5.77       5.58       5.57
(6)ｆ4/ｆw     0.06491    0.06616    0.00901    0.00081   -0.12877     -
(7)ｆ1/ｆ3    -0.261     -0.225     -0.226     -0.222     -0.392     -0.267 
(8)ｆ2/ｆ3     0.232      0.199      0.192      0.189      0.323      0.218
【０１００】
（反射防止コート）
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。
【０１０１】
しかしながら、接合面にも積極的に反射防止コートを施せばさらにゴースト・フレアを軽減でき、なお良好な画像を得ることができるようになる。特に最近では高屈折率硝材が普及し収差補正効果が高いためカメラ光学系に多用されるようになってきているが、高屈折率硝材を接合レンズとして用いた場合、接合面での反射も無視できなくなってくる。そのような場合、接合面に反射防止コートを施しておくことは特に効果的である。
【０１０２】
接合面コートの効果的な使用法に関しては、特開平２−２７３０１号、特開２００１−３２４６７６号、特開２００５−９２１１５号、ＵＳＰ７１１６４８２等に開示されている。使用するコート材としては、基盤となるレンズの屈折率と接着材の屈折率に応じて、比較的高屈折率なＴａ２Ｏ５、ＴｉＯ２、Ｎｂ２Ｏ５、ＺｒＯ２、ＨｆＯ２、ＣｅＯ２、ＳｎＯ２、Ｉｎ２Ｏ３、ＺｎＯ、Ｙ２Ｏ３などのコート材、比較的低屈折率なＭｇＦ２、ＳｉＯ２、Ａｌ２Ｏ３などのコート材、などを適宜選択し、位相条件を満たすような膜厚に設定すれば良い。
【０１０３】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０１０４】
（ディストーションの信号処理）
本実施例のズームレンズは矩形の光電変換面上に広角端では樽型の歪曲収差が発生する。一方中間焦点距離状態付近や望遠端では歪曲収差の発生が抑えられる。歪曲収差を電気的に補正するために、有効撮像領域は、広角端では樽型形状とし、中間焦点距離状態や望遠端では矩形の形状となるようにしている。そして、あらかじめ設定した有効撮像領域を画像処理により画像変換し、歪みを低減させた矩形の画像情報に変換する。広角端での像高ＩＨｗは、中間焦点距離状態の像高ＩＨｓや望遠端での像高ＩＨｔよりも小さくなるようにしている。
【０１０５】
（倍率色収差の信号処理について）
一般に、電子スチルカメラにおいては被写体の像を、第１原色、第２原色、第３原色の３原色の像に分解して、それぞれの出力信号を演算により重ね合わせることによりカラー画像を再現するようにしている。ズームレンズに倍率色収差がある場合、第１原色の光による像を基準にして考えると、第２原色と第３原色の光による像が結像される位置は第１原色の像が結像される位置からずれることになる。
【０１０６】
電子的に画像の倍率色収差を補正するためには、第１原色に対する第２原色、第３原色の光の結像位置のずれの量をズームレンズの収差情報に基づいて撮像素子の各画素について予め求めておく。そして撮影画像の各画素ごとに、第１原色とのズレ量だけ補正するよう座標変換を行ってやればよい。例えば、赤（Ｒ）、緑（Ｇ）、青（Ｂ）の３原色の出力信号からなる画像について説明すれば、Ｇに対するＲとＢの結像位置ずれを各画素について求めておき、Ｇとのずれがなくなるように撮影画像の座標変換を行い、その後にＲとＢの信号を出力してやればよい。
【０１０７】
倍率色収差はズーム、フォーカス、絞り値によって変化するが、各レンズポジション（ズーム、フォーカス、絞り値）ごとに、この第１原色からの第２原色および第３原色のずれ量を補正データとして記憶保持装置に記憶させておくとよい。ズームポジションに応じてこの補正データを参照することで、第１原色信号に対する第２及び第３原色のずれを補正した第２及び第３原色信号とを出力することができる。
【０１０８】
（歪曲収差の補正）
ところで、本発明のズームレンズを用いたときに、像の歪曲は電気的にデジタル補正する。以下に、像の歪曲をデジタル補正するための基本的概念について説明する。
【０１０９】
例えば、図１３に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ’（ω）となるように同心円状に移動させることで補正する。
【０１１０】
例えば、図１３において、半径Ｒの円の内側に位置する任意の半径ｒ１（ω）の円周上の点Ｐ１は、円の中心に向けて補正すべき半径ｒ１’（ω）円周上の点Ｐ２に移動させる。また、半径Ｒの円の外側に位置する任意の半径ｒ２（ω）の円周上の点Ｑ１は、円の中心から離れる方向に向けて補正すべき半径ｒ２’（ω）円周上の点Ｑ２に移動させる。
【０１１１】
ここで、ｒ’（ω）は次のように表すことができる。
ｒ’（ω）＝α・ｆ・ｔａｎω    （０≦α≦１）
ただし、
ωは被写体半画角、ｆは結像光学系（本発明では、ズームレンズ）の焦点距離である。
【０１１２】
ここで、前記半径Ｒの円上（像高）に対応する理想像高をＹとすると、
α＝Ｒ／Ｙ＝Ｒ／（ｆ・ｔａｎω）
となる。
【０１１３】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ’（ω）となるように同心円状に移動させることで補正することができれば、データ量や演算量の点で有利と考えられる。
【０１１４】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１１５】
つまり、離散的座標点毎に表される画像データの形状補正においては、上記倍率を固定できる円は存在しない。そこで、各画素（Ｘｉ，Ｙｊ）毎に、移動先の座標（Ｘｉ’，Ｙｊ’）を決める方法を用いるのがよい。なお、座標（Ｘｉ’，Ｙｊ’）に（Ｘｉ，Ｙｊ）の２点以上が移動してきた場合には、各画素が有する値の平均値をとる。また、移動してくる点がない場合には、周囲のいくつかの画素の座標（Ｘｉ’，Ｙｊ’）の値を用いて補間すればよい。
【０１１６】
このような方法は、特にズームレンズを有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１１７】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１１８】
なお、歪曲補正後の画像が短辺方向の両端において光量が極端に不足することのないようにするには、前記半径Ｒが、次の条件式を満足するのがよい。
【０１１９】
０≦Ｒ≦０．６Ｌｓ  
ただし、Ｌｓは有効撮像面の短辺の長さである。
【０１２０】
好ましくは、前記半径Ｒは、次の条件式を満足するのがよい。
０．３Ｌｓ≦Ｒ≦０．６Ｌｓ
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広角化しても小型化にするための効果は確保できる。
【０１２１】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１２２】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１２３】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０１２４】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１２５】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１２６】
（デジタルカメラ）
図１４〜図１６は、以上のようなズームレンズを撮影光学系１４１に組み込んだ本発明によるデジタルカメラの構成の概念図を示す。図１４はデジタルカメラ１４０の外観を示す前方斜視図、図１５は同後方正面図、図１６はデジタルカメラ１４０の構成を示す模式的な断面図である。ただし、図１４と図１６においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図１６の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１２７】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１２８】
このように構成されたデジタルカメラ１４０は、撮影光学系１４１が本発明により、沈胴時に厚みを極めて薄く、高変倍で全変倍域で結像性能が極めて安定的であるので、高性能・小型化・広角化が実現できる。
【０１２９】
（内部回路構成）
図１７は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１３０】
図１７に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１３１】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１３２】
操作部１１２は各種の入力ボタンやスイッチを備え、これらの入力ボタンやスイッチを介して外部（カメラ使用者）から入力されるイベント情報を制御部に通知する回路である。
【０１３３】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１３４】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１３５】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１３６】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１３７】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１３８】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１３９】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【産業上の利用可能性】
【０１４０】
以上のように、本発明にかかるズームレンズは、高変倍比を有しながら光学性能の確保や小型化する場合に有用である。
【図面の簡単な説明】
【０１４１】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】歪曲収差の補正を説明する図である。
【図１４】本発明による沈胴式のズームレンズを組み込んだデジタルカメラの外観を示す前方斜視図である。
【図１５】上記デジタルカメラの後方斜視図である。
【図１６】上記デジタルカメラの断面図である。
【図１７】デジタルカメラの主要部の内部回路の構成ブロック図である。
【符号の説明】
【０１４２】
Ｇ１・・・第１レンズ群
Ｇ２・・・第２レンズ群
Ｇ３・・・第３レンズ群
Ｇ４・・・第４レンズ群
Ｓ・・・明るさ絞り
ＬＰＦ・・・ローパスフィルタ
ＣＧ・・・カバーガラス
Ｉ・・・像面
１１２・・・操作部
１１３・・・制御部
１１４・・・バス
１１５・・・バス
１１６・・・撮像駆動回路
１１７・・・一時記憶メモリ
１１８・・・画像処理部
１１９・・・記憶媒体部
１２０・・・表示部
１２１・・・設定情報記憶メモリ部
１２２・・・バス
１２４・・・ＣＤＳ／ＡＤＣ部
１４０・・・デジタルカメラ
１４１・・・撮影光学系
１４２・・・撮影用光路
１４３・・・ファインダー光学系
１４４・・・ファインダー用光路
１４５・・・シャッターボタン
１４６・・・フラッシュ
１４７・・・液晶表示モニター
１４９・・・ＣＣＤ
１５０・・・カバー部材
１５１・・・処理手段
１５２・・・記録手段
１５３・・・ファインダー用対物光学系
１５５・・・正立プリズム
１５７・・・視野枠
１５９・・・接眼光学系
１６０・・・カバー
１６１・・・焦点距離変更ボタン
１６２・・・設定変更スイッチ
【図１】
0005197247.tif 000002
【図２】
0005197247.tif 000003
【図３】
0005197247.tif 000004
【図４】
0005197247.tif 000005
【図５】
0005197247.tif 000006
【図６】
0005197247.tif 000007
【図７】
0005197247.tif 000008
【図８】
0005197247.tif 000009
【図９】
0005197247.tif 000010
【図１０】
0005197247.tif 000011
【図１１】
0005197247.tif 000012
【図１２】
0005197247.tif 000013
【図１３】
0005197247.tif 000014
【図１４】
0005197247.tif 000015
【図１５】
0005197247.tif 000016
【図１６】
0005197247.tif 000017
【図１７】
0005197247.tif 000018